(57)【要約】【課題】例えば広告や季節絵柄等の情報を、適宜変更して表示することができる給食容器を提供する。【解決手段】食材を収容する収容部７を有する容器本体１と、上記容器本体１の上部開口を蓋する蓋体２とを備え、  上記蓋体２には、情報表示プレート３が表示面を上にした状態で着脱可能に嵌め込まれる凹部４が形成されている。  これにより、例えば広告や季節絵柄等の情報が表示された情報表示プレート３を凹部４に嵌め込むことにより、それらの情報を適宜変更して表示することができる。  また、上記容器本体１の底面には高台部５を形成し、上記蓋体２には、上記高台部５の内側に嵌合して給食容器を積み重ねたときの安定性を向上させる枠状突部６を形成することができる。【選択図】図１
2014201347.tif 000002
【特許請求の範囲】
【請求項１】
食材を収容する収容部を有する容器本体と、上記容器本体の上部開口を蓋する蓋体とを備え、
上記蓋体には、情報表示プレートが表示面を上にした状態で着脱可能に嵌め込まれる凹部が形成されている
ことを特徴とする給食容器。
【請求項２】
上記容器本体の底面には高台部が形成され、
上記蓋体には、上記高台部の内側に嵌合して給食容器を積み重ねたときの安定性を向上させる枠状突部が形成され、
上記凹部は、上記枠状突部の内側に形成されている
請求項１記載の給食容器。
【発明の詳細な説明】
【技術分野】
【０００１】
本発明は、例えば広告や季節絵柄等の情報を表示することができる給食容器に関するものである。
【背景技術】
【０００２】
食品用の容器に情報を表示しうるものとして、下記の特許文献１および２に示すものが開示されている。
特許文献１には、蓋（１１）の表面に表示部（１５）を設けた携帯用食品容器が開示されている（第２図）。
特許文献２には、外側面に装飾部（２５）を表示する販売用弁当箱が開示されている（図１および図２）。
なお、括弧内の符号は公報に記載されたものである。
【先行技術文献】
【特許文献】
【０００３】
【特許文献１】実開平３−１１３６２５号公報
【特許文献２】実用新案登録第３１１９１８４号公報
【発明の開示】
【発明が解決しようとする課題】
【０００４】
しかしながら、例えば情報として広告を表示する場合には、契約に基づく広告期間が過ぎればその広告は外して、ほかの広告に切り換えなければならない。また、例えば情報として季節絵柄を表示する場合には、その絵柄は季節によって変更しなければならない。
しかしながら、これらの情報を、適宜、簡単に変更して表示することができるものは提供されていなかったのが実情である。
【０００５】
本発明は、上記のような問題を解決するためになされたものであり、例えば広告や季節絵柄等の情報を、適宜変更して表示することができる給食容器を提供することを目的とする。
【課題を解決するための手段】
【０００６】
上記目的を達成するため、本発明の給食容器は、食材を収容する収容部を有する容器本体と、上記容器本体の上部開口を蓋する蓋体とを備え、
上記蓋体には、情報表示プレートが表示面を上にした状態で着脱可能に嵌め込まれる凹部が形成されていることを要旨とする。
【発明の効果】
【０００７】
本発明の給食容器は、上記蓋体には、情報表示プレートが表示面を上にした状態で着脱可能に嵌め込まれる凹部が形成されている。このため、例えば広告や季節絵柄等の情報が表示された情報表示プレートを凹部に嵌め込むことにより、それらの情報を適宜変更して表示することができる。
【０００８】
本発明において、上記容器本体の底面には高台部が形成され、
上記蓋体には、上記高台部の内側に嵌合して給食容器を積み重ねたときの安定性を向上させる枠状突部が形成され、
上記凹部は、上記枠状突部の内側に形成されている場合には、
給食容器を積み重ねたときに高台部の内側に枠状突部が嵌合して安定性が向上する。また、上記凹部が枠状突部の内側に形成されていることから、給食容器を積み重ねたときに、凹部に嵌め込まれた情報表示プレートに高台部が当たらない。したがって、印刷等の事情によって情報表示プレートの厚みが変わっても、給食容器を上下に積み重ねたときの安定性に影響しない。また、情報表示プレートの傷付きや損傷を防止できる。
【図面の簡単な説明】
【０００９】
【図１】本発明の給食容器の一実施形態を示す図である。
【図２】容器本体の底面側を見た図である。
【図３】上記給食容器を示す断面図である。
【発明を実施するための形態】
【００１０】
つぎに、本発明を実施するための形態を説明する。
【００１１】
図１〜図３は、本発明が適用される給食容器の一実施形態を示す。
【００１２】
この給食容器は、食材を収容する収容部７を有する容器本体１と、上記容器本体１の上部開口を蓋する蓋体２とを備えている。
【００１３】
上記容器本体２は、この例では樹脂製の一体成形品で、食材を収容する複数の収容部７が形成されている。図では収容部７が５つ形成されたものを例示したが、これに限定するものではない。収容部７の数はこれより多くてもいいし少なくてもいい。また、収容部７は必ずしも複数に仕切られている必要もない。その場合はバランなどを用いた簡易的な仕切りをそのつど用いればよい。
【００１４】
上記蓋体２は、この例では樹脂製の一体成形品で、容器本体１の上部開口を蓋するものである。図では容器本体１と蓋体２が分離したものを例示したが、これに限定するものではない。容器本体１と蓋体２をヒンジ結合させて分離しないようにすることもできる。
【００１５】
上記蓋体２には、情報表示プレート３が表示面を上にした状態で着脱可能に嵌め込まれる凹部４が形成されている。
【００１６】
上記凹部４は、蓋体１の上面において浅皿状に設けられた凹部４である。図では、蓋体１の上面中央部に長方形状の凹部４をひとつ設けたものを例示したが、これに限定するものではない。上記凹部４の形状は長方形に限るものではなく、円形、楕円形、三角形、五角以上の多角形、星型、人や動物等のシルエット形など、各種の形状を採用することができる。また、上記凹部４の数も２つ以上の複数にすることもできる。この場合、例えば、ひとつをボールを模した円形としてその他を人のシルエット形にするなど、異なる形を組み合わせることもできる。
【００１７】
上記情報表示プレート３は、樹脂製で、平面視において、上記凹部４とほぼ同じ形状で少し小さな寸法に設定されている。これにより、上記情報表示プレート３は凹部４に着脱可能に嵌め込まれる。情報表示プレート３には、上面である表示面に情報が表示される。例えば、情報表示プレート３の上面に所望の情報を印刷することにより表示することができる。また、情報表示プレート３自体を透明樹脂から形成して裏面に印刷処理を施し、上面から視認できるようにすることもできる。
【００１８】
図示した例では、上記情報表示プレート３は、上記凹部４に併せて四隅が丸みを帯びた長方形に形成されている。また、長方形のひとつの長辺の中央部に切欠部８が形成されている。これにより、凹部４にはめ込まれた情報表示プレート４を取り外すときに、切欠部８に指を掛けて外しやすくしている。
【００１９】
凹部４の深さ寸法は、上記情報表示プレート３の厚み寸法よりも大きくなるように設定されている。これにより、凹部４にはめ込まれた情報表示プレート３の上面が、枠状突部６よりも下がった位置になる。したがって、情報表示プレート３の上面すなわち表示面をある程度保護できる。
【００２０】
一方、上記容器本体１の底面には高台部５が形成されている。
【００２１】
上記高台部５は、容器本体１の底面における四隅近傍部にそれぞれ設けられている。上記各高台部５は、それぞれ角が丸みを帯びたＬ字状を呈する突部である。それぞれのＬ字状の開放側が内向きになるよう配置されている。これにより、４つの高台部５によって枠状の四隅を形成するようになっている。
【００２２】
そして、上記蓋体２には、上記高台部５の内側に嵌合して給食容器を積み重ねたときの安定性を向上させる枠状突部６が形成されている。
【００２３】
上記枠状突部６は、角が丸みを帯びた長方形を呈した枠状の突部である。この枠状突部６は、上述した４つの高台部５によって形成された枠状の四隅の内側に着脱可能に嵌合する。これにより、容器本体１に蓋体２を被せた状態の給食容器を上下に重ねたときに、枠状突部６と高台部５が嵌合し、積み重ねた給食容器が安定する。
【００２４】
そして、この例では、上記凹部４は、上記枠状突部６の内側に形成されている。すなわち、枠状突部６で仕切られた内側の領域が蓋体２の上面よりも一段低くなって凹部４が形成されている。言い換えると、凹部４の外周が枠状突部６で囲われているのである。
【００２５】
上記高台部５の高さ寸法は、枠状突部６の高さ寸法よりも大きくなるよう設定されている。これにより、給食容器を上下に積み重ねたときに、高台部５の下面が蓋体２の上面に当たって安定するようになっている。
【００２６】
また、枠状突部６が高台部５の内側に嵌合することから、給食容器を上下に積み重ねたときに、高台部５は情報表示プレート３に接触しない。したがって、印刷等の事情によって情報表示プレート３の厚みが変わっても、給食容器を上下に積み重ねたときの安定性に影響しない。また、情報表示プレート３の傷付きや損傷を防止できる。
【００２７】
以上のように、本実施形態の給食容器は、上記蓋体２には、情報表示プレート３が表示面を上にした状態で着脱可能に嵌め込まれる凹部４が形成されている。このため、例えば広告や季節絵柄等の情報が表示された情報表示プレート３を凹部に嵌め込むことにより、それらの情報を適宜変更して表示することができる。
【００２８】
また、上記容器本体１の底面には高台部５が形成され、
上記蓋体２には、上記高台部５の内側に嵌合して給食容器を積み重ねたときの安定性を向上させる枠状突部６が形成され、
上記凹部４は、上記枠状突部６の内側に形成されているため、
給食容器を積み重ねたときに高台部５の内側に枠状突部６が嵌合して安定性が向上する。また、上記凹部４が枠状突部６の内側に形成されていることから、給食容器を積み重ねたときに、凹部４に嵌め込まれた情報表示プレート３に高台部５が当たらない。したがって、印刷等の事情によって情報表示プレート３の厚みが変わっても、給食容器を上下に積み重ねたときの安定性に影響しない。また、情報表示プレート３の傷付きや損傷を防止できる。
【符号の説明】
【００２９】
１：容器本体
２：蓋体
３：情報表示プレート
４：凹部
５：高台部
６：枠状突部
７：収容部
８：切欠部
【図１】
2014201347.tif 000003
【図２】
2014201347.tif 000004
【図３】
2014201347.tif 000005